(57)【要約】【目的】顔面へ直接取付けるマスクにおいて、本体部の中央部を鼻へクリップ止めするときのような装着時の不快感を解消する。【構成】複数のアンカー部材２０を顔面２における周囲部分５の所定箇所に取付け、その後、アンカー部材２０の係合部２１へ本体部１０側の周縁部１２に設けられた係合部２５を押し付け、係合部２５の係合凹部２６内へ、アンカー部材２０の係合部２１における拡大頭部２４を嵌合させて係合すれば、マスク１を顔面２へ簡単に固定できる。また、強く引っ張れば、係合凹部２６から拡大頭部２４が抜け出して係合解除となり、顔面２から簡単に取り外すことができる。このとき、アンカー部材２０の周囲部分５に対する貼着力が上記係合部間における係合解除に要する力よりも強くなっているため、アンカー部材２０が剥がれることはない。【選択図】  図５
2008246235.tif 000002
【特許請求の範囲】
【請求項１】
口及び鼻を覆う本体部と、その周囲部分複数カ所に設けられた取付部と、顔面へ着脱自在に貼り付けられる複数のアンカー部材とを備え、予め前記アンカー部材を顔面の複数カ所へ貼り付けておき、このアンカー部材に対して前記本体部の取付部を係合又は磁力吸着することにより、前記本体部を顔面へ固定したことを特徴とするマスク。
【請求項２】
前記アンカー部材に適当な装飾を施したことを特徴とする請求項１に記載したマスク。
【請求項３】
前記アンカー部材の本体部部分は、軟質樹脂フィルム等、顔面の周囲部分における曲面になじむように柔軟性のある材料からなることを特徴とする請求項１に記載したマスク。
【発明の詳細な説明】
【技術分野】
【０００１】
この発明は、耳掛け紐を省略するとともに顔面への快適な装着を可能にしたマスクに関する。
【背景技術】
【０００２】
一般的なマスクはループ状をした耳掛け紐を左右両側に設け、これを耳の周囲に掛けることにより顔面へ固定するようになっている。しかし、この耳掛け紐を耳の周りに掛けると、耳掛け紐との接触部に痛みを感じる等の不快感を覚えることがある。また、メガネを併用する場合には、メガネのつると耳掛け紐を一緒に耳の周りに掛けることになるので、さらに耳の周囲における不快感が増大する等の不都合がある。
そこで、耳掛け紐を省略し、マスクの本体部中央をバネ材からなるクリップで直接鼻へ固定するなどして、バネにより顔面へ固定したものも公知である（特許文献１参照）。
【特許文献１】特開２００１−５６６号公報
【発明の開示】
【発明が解決しようとする課題】
【０００３】
上記公知例のように、マスクを鼻へ直接固定すると、マスク中央の狭い部分のみを固定するため、マスクを顔面上へ安定して支持することが難しくなる。また、クリップのバネを強くすれば固定を安定させることができるが、強いバネの力で挟まれるため顔面に苦痛を覚えることになる。しかも、鼻は神経が集中して敏感な部分であるから、バネを強くしたクリップで鼻の１カ所を挟むと鼻に不快感を覚ることがある。さらに、顔面における鼻以外の部分へバネで固定しようとしても、バネの顔面当接部がずれやすいため固定状態を安定させることが困難なこと並びにバネの強い押さえつけによる不快感があるという同様の問題がある。
したがって、耳掛け紐を省略しつつも、マスクの周囲部分複数カ所にて分散固定することにより、不快感を少なくし同時に固定状態を安定させるようにすることが望ましい。
また、耳に対してマスクの全重量をかけないようにすることができれば、耳掛紐を用いても耳の周囲に苦痛を覚えないようにすることができるので、耳掛紐を補助的に使用してマスクの安定支持を図ることが望ましい場合もある。
そこで本願発明は係る要望の実現を目的とする。
【課題を解決するための手段】
【０００４】
上記課題を解決するため本願のマスクに係る請求項１の発明は、口及び鼻を覆う本体部と、その周囲部分複数カ所に設けられた取付部と、顔面へ着脱自在に貼り付けられる複数のアンカー部材とを備え、予め前記アンカー部材を顔面の複数カ所へ貼り付けておき、このアンカー部材に対して前記本体部の取付部を係合又は磁力吸着させることにより前記本体部を顔面へ固定するようにしたことを特徴とする。
【０００５】
請求項２のマスクは、請求項１に記載したマスクにおいて、前記アンカー部材に適当な装飾を施したことを特徴とする。
【０００６】
請求項３のマスクは、請求項１に記載したマスクにおいて、前記アンカー部材の本体部部分は、軟質樹脂フィルム等、顔面の周囲部分における曲面になじむように柔軟性のある材料からなることを特徴とする。
【発明の効果】
【０００７】
請求項１の発明によれば、予め顔面の複数カ所へ貼り付けたアンカー部材に対して本体部の周囲部分複数カ所に設けた取付部を係合又は磁力吸着させたので、顔面上において本体部を固定する部分を複数カ所に分散でき、やはり快適なマスクの装着を可能にする。しかも、アンカー部材は顔面の複数カ所へ着脱自在に貼り付けることにより取付けられるものであるから、これに適当な装飾を施せば、顔面のアクセサリーとして役立たせることができる。
【０００８】
請求項２の発明によれば、アンカー部材に適当な装飾を施したことにより、マスクを外したときもアンカー部材を顔面に残しておくことで顔面のアクセサリーとして役立たせることができる。
【０００９】
請求項３の発明によれば、アンカー部材を柔軟なものにすることで肌当たりに優れたものにすることができる。
【発明を実施するための最良の形態】
【００１０】
以下、図面に基づいて実施形態を説明する。図１は参考例に係るマスクの使用状態を示し、マスク１は、顔面２における鼻３及び口４を覆うように、その周囲部分５へ直接着脱自在に取付けられている。符号６は耳、７は耳穴、８は目、９はメガネである。なお、マスク１は内部を透視した状態で示してある（後述の図７も同様）。
【００１１】
図２はマスク１の正面図、図３はその裏面図である。これらの図に示すように、マスク１は鼻３及び口４を十分に覆うことができる大きさの本体部１０を有する。本体部１０の中央上部には鼻３を収容するための隆起部１１が形成されている。
【００１２】
本体部１０は、塵埃や花粉等を捕集するためのフィルターとして機能する部分であり、布等のフィルター機能を有するものであれば公知の種々なものが使用可能である。このようなものとして例えば、不織布等を用いて立体形状に成形された成形マスクが好適である。但し、材料や製法は一切不問であり、どのようなものでも使用することができる。
【００１３】
図３に示すように、本体部１０の周縁部１２は、顔面２における鼻や口の周囲部分５へ接触する部分であり、塵埃や花粉等の侵入を可能な限り阻止するためには、本体部１０の材料のみに依存せず、この部分での周囲部分５に対する密着を良くしてシール性を向上させることが必要である。本実施例では、周縁部１２の全周に適当間隔で吸着部１３を設け、これを周囲部分５へ吸着させることにより顔面２への直接固定とシール性向上を可能にしている。
【００１４】
図４（図３の４−４線断面）に示すように、吸着部１３は柔軟な弾性部材からなる吸盤状をなし、弾性変形自在なフランジ状の周壁部１４と、その内側に形成される凹部空間１５からなる。周壁部１４は凹部空間１５を連続して囲むとともに、周囲部分５の曲面形状に合わせて自由に弾性変形して密着し、周囲部分５とともに凹部空間１５を密閉するようになっている。
【００１５】
吸着部１３は公知の吸盤と同様のものであり、周壁部１４を周囲部分５へ圧接して弾性変形させることにより、凹部空間１５の容積を減少させ、その後周壁部１４を自己の弾力により復元させて凹部空間１５の容積を拡大させることにより、凹部空間１５内を減圧状態にして吸着力を生じるようにしたものである。
【００１６】
このような吸着部１３は、肌当たりの良好なシリコンゴム等の公知の軟質弾性材料を用いて形成できる。顔面２へ直接接触するものであることを考慮すると、生体シリコンゴムの使用が最も好ましい。但し、材料及び形状や構造は自由であり、公知のものを自由に使用できる。
【００１７】
吸着部１３は本体部１０の周縁部１２に対して、全数を一度に一体成形することもできる。成形マスクの場合にはこの方法が有利である。この場合、周縁部１２を全周に連続する一つのリング状シール部材として成形し、その顔面当接部へ各吸着部１３を一体に形成してもよい。また、各吸着部１３をそれぞれ独立した状態で一度に成形したものでもよい。なお、このような一体成形とせずに、全ての吸着部１３を予め個々に独立して形成し、これを一つずつ周縁部１２へ接着等の適宜手段で取付けることもできる。また、吸着部１３の大きさや使用個数も任意である。但し、複数個を使用する必要がある。
【００１８】
また、吸着部１３を本体部１０の周縁部１２と一体成形しない場合でも、吸着部１３を個々に独立したものではなく、周縁部１２の全周に重なる別体のリング状シールとして成形し、これを周縁部１２へ接着等の適宜手段で取付ければ、リング状シールを単一部材として本体部１０の周縁部１２へ取付ければ済むので、取り扱い性並びに作業性が向上し、マスクの製造効率を上げることができがる。
【００１９】
このリング状シールとして形成する場合、周壁部１４はリング状の吸着部１３を構成する共通弾性体部分として連続するが、凹部空間１５はリング状の弾性体中にその周囲方向に沿って所定間隔で複数カ所に分離・独立して形成され、これにより周囲部分５へ吸着させたとき、一部の凹部空間１５における気密性が失われて吸着力が消失しても、吸着部１３全体として確実に吸着力を維持できるようになっている。なお、前記周縁部１２と一体成形する場合も同様構造とする。
【００２０】
次に、参考例の作用を説明する。マスク１の本体部１０を鼻３及び口４にに被せ、周縁部１２を周囲部分５の上に重ねてから顔面２へ押し付ける。すると、周縁部１２の吸着部１３が周囲部分５へ吸着して、マスク１が顔面２へ着脱自在に直接固定される。これにより耳掛け紐なしでマスク１の着用が可能となり、耳掛け紐を使用するときのような不快感がなく、快適な装着が可能になる。
【００２１】
しかも、吸着部１３は周縁部１２上の複数カ所に分散しているため、顔面２に対する吸着部一カ所当たりに必要な吸着力は相対的に弱くなるから、吸着時に痛覚等の不快感が生じにくい。また、本体部１０の周縁部１２で固定するため、固定状態を安定させることができる。そのうえ、吸着による周縁部のシール性を向上でき、塵埃や花粉等の侵入を効率的に阻止できる。
【００２２】
さらに、顔面２へ押し付けるだけで装着でき、逆に、少し大きな力で引っ張れば簡単に取り外すことができるから、片手操作で簡単・迅速に着脱することが可能になる。また、耳掛け紐を省略できたので、装着時のデザインを斬新なものにすることも期待できる。
【００２３】
図５及び図６は、本願発明の実施例に係り、図５はアンカー部材２０を顔面２の周囲部分５へ取付けた状態を示す。アンカー部材２０は顔面２に対して着脱自在であり、その数や形状並びに取付位置は自由である。但し、使用個数は複数個が必要である。アンカー部材２０には係合部２１が設けられ、好みに応じて適宜な模様等の装飾２２が施されている。この装飾２２は、模様、色、材質感、文字や記号並びにアンカー部材２０自体の形状等、種々なデザイン的要素で構成される。
【００２４】
図６はマスクの取付状態を示す部分拡大断面図である。アンカー部材２０には貼付剤層２３が設けられ、ここでアンカー部材２０を周囲部分５に対して着脱自在に貼り付けるようになっている。貼付剤層２３は公知の粘着剤等からなり、肌荒れの生じない材料を適宜選択する。また周囲部分５へ貼り付けたときの剥離に要する力が、後述する本体部１０側の係合解除時に要する力よりも大きくなるように配慮される。
【００２５】
アンカー部材２０の本体部部分は、軟質樹脂フィルム等、顔面２の周囲部分５における曲面になじむようにある程度柔軟性のある適宜材料からなる。不織布等の通気性材料とすることも好ましい。但し、全体が柔軟な単層構造である必要はなく、多層に構成し、周囲部分５へ接触する層をスポンジなどのような肌当たりに優れた柔軟なものにすれば、表面層は例えばメタリック感のあるような硬質の樹脂層であっても良い。
【００２６】
アンカー部材２０の表面側に設けられた係合部２１は一体又は別体に設けられている。係合部２１は、種々な構造が可能であり、本実施例では、アンカー部材２０の表面側から突出して先端に図示のような拡大頭部２４を有している。但し、係合部２１としては、面ファスナーやフックもしくはホック等公知の係合部構造を適宜利用できる。
【００２７】
本体部１０の周縁部１２には、この係合部２１と係合相手となる他方側の係合部２５が、本体部１０側の取付部として設けられている。この例では、拡大頭部２４を係脱自在とする凹曲面からなる係合凹部２６が形成され構造になっていいる。但し、周縁部１２側の係合部２５は、アンカー部材２０側の係合部２１に応じて種々に定まり、係合用の凹又は凸、フック又はループ、面ファスナー又はホックの雌雄相手側等、種々に可能である。
【００２８】
係合部１５は周縁部１２又はその近傍の裏面（顔面に向く面）の周方向へ適当間隔で複数個が取付けられて設けられ、その取付位置はアンカー部材２０の貼付位置に対応するようにする。なお、肌当たりに支障がない構造であれば、予め全周に亘って連続もしくは断続的に設けてもよい。このようにすると、アンカー部材２０の貼付位置における自由度が増す。このようなことが可能なものとして図示のような係合凹部や面ファスナーの雌側等がある。
【００２９】
本実施例において、マスクを固定するには、始めに複数のアンカー部材２０を周囲部分５の所定箇所に取付け、その後、アンカー部材２０の係合部２１へ本体部１０側の周縁部１２に設けられた係合部２５を押し付け、係合部２５の係合凹部２６内へ、アンカー部材２０の係合部２１における拡大頭部２４を嵌合させて係合すれば、マスク１を顔面２へ簡単に固定できる。また、強く引っ張れば、係合凹部２６から拡大頭部２４が抜け出して係合解除となり、顔面２から簡単に取り外すことができる。このとき、アンカー部材２０の周囲部分５に対する貼着力が上記係合部間における係合解除に要する力よりも強くなっているため、アンカー部材２０が剥がれることはない。
【００３０】
また、複数のアンカー部材２０を設けることにより、各アンカー部材２０に要求される顔面側との貼着力は相対的に弱いもので足りるため、装着時における顔面２の不快感を無くすことができる。そのうえ、アンカー部材２０に装飾２２を施すことにより、顔面２のアクセサリーとすることができる。
したがって、マスク１の装着時のみならず、これを外したときも、顔面２上にアンカー部材２０を残しておけば、顔面２のアクセサリーになる。
【００３１】
なお、マスク１の外周部とアンカー部材２０を重なり合う状態で結合させるばかりでなく、マスク１の周囲となる顔面上へ予め複数のアンカー部材２０を設けておき、マスク１の外周部から周囲へ延び出す複数の連結部材を介して、マスク１の外周部をアンカー部材２０で支持させてもよい。この場合、アンカー部材２０には、予め適宜構造の係合部（例えば後述する図８のフック３１参照）を設けておく。
【００３２】
一方、連結部材は、ループ状の掛け紐や適宜の係合構造（同上参照）をマスク１の外周部へ複数設けたものであり、この連結部材をマスク１の周囲へ延び出させるとともに、マスク１の周囲となる顔面上へ予め設けられたアンカー部材へ係止させる。このようにすれば、アンカー部材２０をマスク１の周囲へ常時外観させておくことができるのでさらに装飾性が向上する。なお、連結部材はアンカー部材側から延ばしてもよく、さらには、アンカー部材とマスクの双方と別体に設けてもよい。
【００３３】
なお、耳掛紐を併用することも可能である。図７は図１の参考例に係るマスク１に耳掛紐を４０を併用した状態を示す別の参考図であり、耳掛紐を４０以外は図１と全く同じである。耳掛紐を４０は丸ゴム紐等、一般的に使用されている種々なものを適宜用いることができる。但し、耳６の周囲に対する肌当たりを考慮すると、少なくとも外側部分を感触の良いできるだけ柔らかな材料で構成した幅広のものが好ましい。
【００３４】
このように、耳掛紐４０を併用した場合、マスク１の支持は吸着部１３が主体的になるため、マスク１の重量の多くは、多数の吸着部１３に分散され、耳掛紐４０が支持のために分担すべき重量はごく僅かになる。このため、耳掛紐４０はマスク１の支持において補助的なものとなり、耳６の周囲に耳掛紐４０が強く当たることがない。
【００３５】
そこで耳掛紐４０を併用することができ、これにより、仮に吸着部１３における支持がなされなくなった場合に備えたり、吸着部１３の吸着力を減少させる等しつつも、マスク１の安定支持を図ることができる。しかも、この実施例では、マスク１の全周に設けた吸着部１３の密着による高シール性とマスク支持の信頼性向上を同時に実現できる。
【００３６】
なお、このような耳掛紐の併用は、本実施例（図５）に対しても有効である。本実施例において耳掛紐を併用すれば、アンカー部材２０による装飾性と耳掛紐の併用によるマスク支持の信頼性向上を同時に実現できる。
【００３７】
なお、本願発明は上記実施例に限定されず種々に変形や応用が可能であり、例えば、アンカー部材２０側に磁石の一方側を設け、本体部１０側には、周縁部１２の複数カ所又はその左右に設けた取付部に磁石の他方側を設け、この取付部をアンカー部材２０に重ねれば、双方の重なり部分が磁力吸着により一体化するので、マスクの本体部を顔面へ固定できる。この場合には磁気による健康増進効果も期待できる。
【図面の簡単な説明】
【００３８】
【図１】参考例に係るマスクの使用状態図
【図２】そのマスクの正面図
【図３】同上の裏面図
【図４】図３の４−４線拡大断面図
【図５】実施例に係るアンカー部材の取付状態図
【図６】その取付説明図
【図７】別の参考例に係るマスクの使用状態図
【符号の説明】
【００３９】
１：マスク、２：顔面、３：鼻、４：口、５：周囲部分、６：耳、７：耳穴、８：目、９：メガネ、１０：本体部、１１：隆起部、１２：周縁部、２０：アンカー部材、２１：係合部、２２：装飾、２３：貼付剤層、２４：拡大頭部、２５：係合部、２６：係合凹部
【図１】
2008246235.tif 000003
【図２】
2008246235.tif 000004
【図３】
2008246235.tif 000005
【図４】
2008246235.tif 000006
【図５】
2008246235.tif 000007
【図６】
2008246235.tif 000008
【図７】
2008246235.tif 000009